(57)【特許請求の範囲】
【請求項１】
長手方向を上下方向に向けた碍子の外周に巻回されるマット本体と、このマット本体を上記碍子の外周に巻回された状態に維持するとともに、上記マット本体を上記碍子に対して位置固定する固定手段とを備えた碍子養生マットにおいて、
上記碍子に巻回された状態での上記マット本体の外周部に、足を載せ、あるいは手で把持するための昇降補助具が設けられており、上記昇降補助具が、
長手方向を上記碍子の径方向に向けた平板又は棒状の芯材と、
上記碍子の径方向における上記芯材の内側の端部から突出するベルトにて構成されるとともに上記マット本体に沿って上方に延びて、上記マット本体に固定された下側支持部と、
上記芯材の外側の端部から突出するベルトにて構成されるとともに上記マット本体へ向かって斜め上方に延びて、上端部が上記マット本体に沿って上方へ延び、この上端部が上記マット本体に固定された上側支持部とを有し、
上記芯材が所定の剛性を有して足を載せ、あるいは手で把持する部分となり、
上記下側支持部及び上記上側支持部が所定の引っ張り強度及び柔軟性を有していることを特徴とする碍子養生マット。
【請求項２】
上記マット本体には、補強ベルトが上下に延びるように固定されており、
上記補強ベルトに上記下側支持部及び上記上側支持部が固定されていることを特徴とする請求項１に記載の碍子養生マット。
【発明の詳細な説明】
【技術分野】
【０００１】
この発明は、発電所や変電所等に設置される大型の碍子に用いるのに好適な碍子養生マットに関する。
【背景技術】
【０００２】
従来、発電所や変電所において用いられる碍子の上端部には、例えば断路器が設置されている。この断路器の保守点検時には、碍子に塗料が付着したり、碍子が破損したりする等の事故を防止するために、碍子養生マットが用いられる。養生マットは、下記特許文献１に記載されているように、マット本体と固定手段とを有している。マット本体は、碍子の外周に巻回される。固定手段は、面ファスナやベルト等からなるものであり、マット本体を碍子の外周に巻回された状態に維持するとともに碍子に位置固定する。これにより、碍子の外周部が保護される。
【０００３】
養生マットの碍子への装着後、次の二つの方法のいずれかによって断路器の保守点検が行われる。一つの方法は、碍子の周りに足場を組み、この足場に乗って保守点検を行うものである。他の一つの方法は、碍子の凹凸を利用して碍子をよじ登るものであり、養生マットを介して碍子をよじ登る。そして、その状態で断路器の保守点検を行うものである。
【先行技術文献】
【特許文献】
【０００４】
【特許文献１】特開平１１−６６９８６号公報
【発明の概要】
【発明が解決しようとする課題】
【０００５】
前者の方法では、碍子の周りに足場を組まなければならず、そのために多くの日時を要するという問題がある。後者の方法では、足場が不要であるから、その分だけ保守点検作業に要する日時を短縮することができる。その反面、碍子の凹凸を利用するとはいえ、養生マットを介して碍子をよじ登ることには、多大の困難性が伴うという問題がある。
【課題を解決するための手段】
【０００６】
この発明は、上記の問題を解決するために、長手方向を上下方向に向けた碍子の外周に巻回されるマット本体と、このマット本体を上記碍子の外周に巻回された状態に維持するとともに、上記マット本体を上記碍子に対して位置固定する固定手段とを備えた碍子養生マットにおいて、上記碍子に巻回された状態での上記マット本体の外周部に、足を載せ、あるいは手で把持するための昇降補助具が設けられていることを特徴としている。
この場合、上記昇降補助具が、長手方向を上記碍子の径方向に向けた芯材と、上記碍子の径方向における上記芯材の内側の端部から上記マット本体に沿って上方に延びて、上記マット本体に固定された下側支持部と、上記芯材の外側の端部から上記マット本体へ向かって斜め上方に延びて、上端部が上記マット本体に沿って上方へ延び、この上端部が上記マット本体に固定された上側支持部とを有し、上記芯材が所定の剛性を有し、上記下側支持部及び上記上側支持部が所定の引っ張り強度及び柔軟性を有していることが望ましい。
【発明の効果】
【０００７】
上記特徴構成を有するこの発明によれば、碍子に養生マットを巻回固定した後、昇降補助具に足を掛け、あるいは昇降補助具を手で把持することにより、碍子を容易によじ登ることができる。しかも、足場を組む必要がないので、断路器等の保守点検を短時間で行うことができる。
【図面の簡単な説明】
【０００８】
【図１】図１は、この発明に係る碍子養生マットが用いられる碍子の一例を示す正面図である。
【図２】図２は、この発明に係る碍子養生マットの一実施の形態を展開した状態で示す正面図である。
【図３】図３は、同実施の形態において用いられている昇降補助具の要部を示す図であって、図３（Ａ）はその正面図、図３（Ｂ）は図３（Ａ）のＢ−Ｂ線に沿う断面図である。
【図４】図４は、同実施の形態を碍子に巻回した状態での図２のＸ−Ｘ線に沿う断面図である。
【図５】図５は、同実施の形態を碍子に取り付けた状態で示す斜視図である。
【図６】図６は、図５のＸ矢視図である。
【発明を実施するための形態】
【０００９】
以下、この発明を実施するための最良の形態を、図面を参照して説明する。
図１は、この発明に係る碍子養生マット１（図２参照）が用いられる碍子の一例を示す。この碍子Ａは、上方へ向かって順次設けられた３つの段部Ａ１，Ａ２，Ａ３を有している。碍子Ａは、１つあるいは２つ又は４つ以上の段部によって構成されていてもよい。また、各段部Ａ１，Ａ２，Ａ３は、互いに同一形状に形成されているが、互いに異なる形状であってもよい。なお、各段部Ａ１，Ａ２，Ａ３の上下方向の長さ及び直径は、例えば２００〜３００ｃｍ及び５０〜８０ｃｍ程度である。
【００１０】
段部Ａ１は、下端部が土台Ｂに立設された本体部ａ１と、この本体部ａ１の上面に設けられた首部ａ２と、この首部ａ２の上面に設けられた傘部ａ３とを有している。本体部ａ１の外周面には、セラミックからなる環状の凹凸部ａ４が設けられている。本体部ａ１及び首部ａ２は、養生マット１によって養生される。つまり、本体部ａ１及び首部ａ２には、養生マット１が巻回される。その結果、本体部ａ１及び首部ａ２が養生マット１によって覆われて保護される。なお、傘部ａ３は、鉄又はその合金で形成されており、養生マット１による保護を必要としない。したがって、傘部ａ３は、養生マット１によって覆われることがない。勿論、傘部ａ３も養生マット１で巻回してもよい。
【００１１】
段部Ａ２，Ａ３は、段部Ａ１と同一形状であり、段部Ａ１の傘部ａ３の上面に段部Ａ２の本体部ａ１の下端部が設けられ、段部Ａ２の傘部ａ３の上面に段部Ａ３の本体部ａ１の下端部が設けられている。また、段部Ａ３の傘部ａ３の上面には、断路器Ｃが設けられている。
【００１２】
次に、この発明に係る碍子養生マット１について説明すると、養生マット１は、各段部Ａ１，Ａ２，Ａ３の本体部ａ１及び首部ａ２を養生するためのものであり、図２に示すように、マット本体２を有している。マット本体２は、互いに対向して配置された２枚のシートと、この２枚のシートの間に配置されたクッション層とを有している。シートとしては、例えば綿布、合成繊維は塩化ビニルからなるシートが採用される。また、クッション層は、例えばスポンジ等の柔軟性を有するものによって構成される。２枚のシート及びクッション層は、順次積層され、互いに固着されている。この場合、２枚のシート及びクッション層は、その全体にわたって縫製することによって互いに固着されているが、接着その他の手段によって固着してもよい。２枚のシート及びクッション層が互いに固着されることにより、マット本体２が構成されている。
【００１３】
マット本体２は、上記の構造のものに限定されることが無く、周知の各種の構造のものを採用することができる。例えば、単一の樹脂シートで構成してもよく、あるいは積層された樹脂シートで構成してもよい。積層シートを用いる場合には、碍子Ａに巻回したときに外側になる部分をポリエステル製のシートで構成し、内側になる部分をナイロン製のシートで構成することが望ましい。
【００１４】
マット本体２は、主部２ａ、台形部２ｂ及び長方形部２ｃを有している。主部２ａは、凹凸部ａ４の最上段に位置する凸部から下側に位置する部分を覆うためのものである。そのために、主部２ａの上下方向の長さは、凹凸部ａ４の最上段に位置する凸部から本体部ａ１の下端までの長さとほぼ同一か、若干長めに設定されている。主部２ａの左右方向の長さは、主部２ａを本体部ａ１の外周に巻回したときに、主部２ａの左右方向の両端部が所定の長さだけ互いに重なるような長さに設定されている。
【００１５】
台形部２ｂは、凹凸部ａ４の最上段に位置する凸部の上面を覆うためのものであり、当該凸部の上面は上方へ向かって小径になるようにテーパ状をなしている。これに対応して台形部２ｂは、左右方向の長さが上方へ向かって短くなっている。また、台形部２ｂの上下方向の長さは、当該凸部の上面に沿う上下方向の長さとほぼ同一に設定されている。勿論、台形部２ｂを最上段の凸部の上面に巻回すると、台形部２ｂの左右の両端部が所定の長さだけ互いに重なる。
【００１６】
長方形部２ｃは、首部ａ２を覆うためのものであり、首部ａ２とほぼ同一の上下方向の長さを有している。また、首部ａ２に巻回したときに左右方向の両端部が所定の長さだけ互いに重なるように、長方形部２ｃの左右方向の長さが定められている。
【００１７】
上記のように、主部２ａを本体部ａ１に巻回すると、主部２ａの両端部が互いに重なる。互いに重なる両端部の互いに対向する二つの面の一方には、面ファスナー（固定手段）の雄部（フック部）３Ａが設けられ、他方には雌部（ループ部）３Ｂが設けられている。したがって、主部２ａを本体部ａ１に巻回した後、雄部３Ａと雌部３Ｂとを係合させると、主部２ａが本体部ａ１に巻回状態で固定され、ひいてはマット本体２が碍子Ａの段部Ａ１（Ａ２，Ａ３）に巻回状態で上下方向に位置固定される。
【００１８】
なお、この実施の形態では、主部２ａを本体部ａ１に巻回したときに、主部２ａの径方向外側を向く面に面ファスナーの雄部３Ａが設けられ、径方向内側を向く面に雌部３Ｂが設けられているが、これとは逆に径方向外側を向く面に雌部３Ｂを設け、径方向内側を向く面に雄部３Ａを設けてもよい。また、面ファスナーの雄部３Ａ及び雌部３Ｂは、台形部２ｂの左右方向の両端部及び長方形部２ｃの左右方向の両端部にもそれぞれ設けてもよい。このようにすれば、マット本体２を段部Ａ１（Ａ２，Ａ３）により一層強固に巻回固定することができる。
【００１９】
マット本体２の主部２ａには、固定ベルト（固定手段）４が２本設けられている。２本の固定ベルト４，４は、上下方向へ互いに離れた状態で配置されている。固定ベルト４は、１本だけ設けてもよく、３本以上も受けてもよい。固定ベルト４は、ベルト本体４ａとこのベルト本体４ａの両端部に設けられた雄係合部４ｂ及び雌係合部４ｃを有している。
【００２０】
ベルト本体４ａは、所定の引っ張り強度と柔軟性とを有しており、その長手方向を左右方向に向けた状態で配置されている。しかも、ベルト本体４ａは、主部２ａを本体部ａ１に巻回したときに径方向外側へ向く面と対向して配置されている。そして、主部２ａの外側を向く面にベルト本体４ａの左右方向の中間部が固定されている。したがって、マット本体２を段部Ａ１に巻回した後、ベルト本体４ａを巻回すると、ベルト本体４ａは主部２ａを本体部ａ１に押し付ける。
【００２１】
雄係合部４ｂと雌係合部４ｃとは、互いに係脱可能に係合される。雄係合部４ｂと雌係合部４ｃとが互いに係合すると、ベルト本体４ａの両端部が連結される。したがって、マット本体２を段部Ａ１（Ａ２，Ａ３）に巻回し、さらにベルト本体４ａをマット本体２に巻回した後、雄係合部４ｂと雌係合部４ｃとを係合させると、固定ベルト４が主部２ａを本体部ａ１に押し付けて位置固定する。雄係合部４ｂと雌係合部４ｃとのうちの少なくとも一方は、ベルト本体４ａにその長手方向へ位置調節可能に固定されている。そして、当該一方の係合部４ｂ（４ｃ）の位置を調節することにより、固定ベルト４が主部２ａを本体部ａ１に押し付ける強度、つまり位置固定強度が適宜に調節される。位置固定強度をより向上させるために、固定ベルト４は、凹凸部ａ４のうちの凹部に対応する箇所に配置することが望ましい。
【００２２】
固定ベルト４は、長方形部２ｃにも設けられている。したがって、長方形部２ｃを首部ａ２に巻回した後、固定ベルト４の雄係合部４ｂと雌係合部４ｃとを係合させると、長方形部２ｃが首部ａ２に巻回状態で固定される。しかも、長方形部２ｃの下端部が本体部ａ１の凹凸部ａ４の最上段の凸部の上面に突き当たるとともに、台形部２ｂが当該凸部の上面に突き当たる。これにより、碍子Ａの段部Ａ１（Ａ２，Ａ３）に巻回されたマット本体２が当該段部Ａ１（Ａ２，Ａ３）から下方へずり落ちることが阻止される。つまり、マット本体２が碍子Ａに対して上下方向に位置固定される。この位置固定強度が十分に大きいときには、主部２ａに設けられた固定ベルト４を省いてもよい。逆に、主部２ａに設けられた固定ベルト４による位置固定強度が十分に大きいときには、長方形部２ｃに設けられた固定ベルト４を省いてもよい。
【００２３】
主部２ａには、２本の補強ベルト５，５が設けられている。２本の補強ベルト５，５は、主部２ａを本体部ａ１に巻回したときに、周方向へ互いに１８０°離れるように配置されている。補強ベルト５は、所定の引っ張り強度と柔軟性とを兼ね備えている。また、補強ベルト５は、その長手方向を上下方向に向け、しかもその上端縁が主部２ａの上端縁と一致するように配置されている。つまり、補強ベルト５は、主部２ａの上端縁から下方に向かって延びている。補強ベルト５の上端部は、台形部２ｂ及び長方形部２ｃまで延ばしてもよい。補強ベルト５は、主部２ａが本体部ａ１に巻回されたときに径方向外側を向く面に縫製その他の手段によって固定されている。補強ベルト５は、主部２ａの径方向内側を向く面に固定してもよい。
【００２４】
補強ベルト５には、昇降補助具６が設けられている。昇降補助具６は、養生マット１が巻回固定された碍子Ａをよじ登り、また碍子Ａから降りる際に、足を載せ、あるいは手で把持するためのものである。昇降補助具６は、一つの補強ベルト５に対して２つ設けられている。一つの補強ベルト５に設けられた二つの昇降補助具６，６は、上下方向へ互いに離間して配置されている。昇降補助具６は、碍子Ａの各段部Ａ１，Ａ２，Ａ３の高さが低い場合には、一つだけ設けられることもあり、高さが高い場合には３つ以上設けられることもある。
【００２５】
昇降補助具６が二つの補強ベルト５，５にそれぞれ設けられ、二つの補強ベルト５，５が周方向へ互いに離間して配置されているので、昇降補助具６も周方向には二つ設けられている。昇降補助具６は、周方向には一つだけ設けてもよく、養生マット１が養生すべき碍子Ａの本体部ａ１の外径が大きい場合には、周方向へ互いに離間させて３つ以上設けてもよい。また、一方の補強ベルト５に設けられた昇降補助具６と他方の補強ベルト５に設けられた昇降補助具６とは、同一高さに配置されている。ただし、必ずしもこのように配置する必要がなく、一方の補強ベルト５に設けられた昇降補助具６と他方の補強ベルト５に設けられた昇降補助具６とを上下方向において交互に配置してもよい。なお、図５には、一方の補強ベルト５に設けられた昇降補助具６と、他方の補強ベルト５に設けられた昇降補助具６とが周方向に１８０°と異なる角度だけ離れているように図示されているが、これは昇降補助具６の構造をより理解し易くするためのものであり、実際には図６に示すように、周方向に１８０°離れて配置されている。
【００２６】
昇降補助具６は、図３（Ｂ）において左側から右側へ向かって順次重ねられた第１被覆シート６１、芯材６２、支持ベルト６３及び第２被覆シート６４を有している。
【００２７】
芯材６２は、長方形状をなす金属製の平板からなるものであり、所定の強度を有している。すなわち、芯材６２を水平に配置してその長手方向の両端部を支持した状態において、作業者が芯材６２に足を載せ、あるいは芯材６２を手で持って体重を芯材６２にかけたときに、芯材６２が破損あるいは大きく変形することなく作業者の体重を十分に支えることができるだけの強度を有している。芯材６２は、必ずしも平板状にする必要がなく、断面円形又は四角形ないしは六角形の棒状に形成してもよい。また、十分な強度が得られるのであれば、金属以外の材料、例えば繊維強化プラスチックによって形成してもよい。
【００２８】
第１及び第２被覆シート６１，６４は、芯材６２に足の載せたときに滑ったり、芯材６２を手で持ったときに芯材６２によって手が傷付けられたりすることを防止するとともに、後述する支持シート６３を芯材６２と一体化するためにものであり、同一形状及び同一材質からなる布又は樹脂シートによって構成されている。第１及び第２被覆シート６１，６２は、芯材６２の幅及び長さより大きな幅及び長さを有している。そして、第１及び第２被覆シート６１，６４間に芯材６２が配置され、芯材６２から外側に位置する第１及び第２シート６１，６４の周縁部どうしが縫製その他の固定手段によって固定されている。この結果、芯材６２が第１及び第２シート６１，６４の間に収容固定されている。
【００２９】
支持ベルト６３は、芯材６２に作用する作業者の体重を支持するためのものであり、作業者の体重を支持するのに十分な引っ張り強度を有している。しかも、曲げることができるような柔軟性をも有している。支持ベルト６３の幅は、第１及び第２被覆シート６１，６４の幅と同一に設定されている。しかし、支持ベルト６３の長さは、第１及び第２被覆シート６１，６４の長さより長くなっている。
【００３０】
支持ベルト６３は、その幅方向の両側縁が第１及び第２被覆シート６１，６４の幅方向の両側縁と一致し、かつ長手方向の両端部が第１及び第２シート６１，６４の長手方向の両端部から突出するように配置されている。そして、支持ベルト６３は、第１及び第２被覆シート６１，６４の周縁部と対向する部分が縫製又はその他の固定手段によって第１及び第２被覆シート６１，６４に固定されている。この結果、支持ベルト６３の長手方向の中間部が、芯材６２に第１及び第２被覆シート６１，６４を介して固定されている。支持ベルト６３の長手方向の両端部は、芯材６２の長手方向の両端部からそれぞれ突出させられている。芯材６２の一端部（図３において下端部）から突出した支持ベルト６３の一端部が下側支持部６５とされ、芯材６２の他端部から突出した支持ベルト６３の他端部が上側支持部６６とされている。
【００３１】
下側支持部６５及び上側支持部６６が一つの支持ベルト６３の一端部と他端とによってそれぞれ構成されているので、両者は互いに連続しているが、両者は互いに切り離してもよい。その場合には、下側支持部６５の一端部が第１及び第２被覆シート６１，６４の長手方向の一端部に固定され、上側支持部６６の一端部が第１及び第２被覆シート６１，６４の他端部に固定される。
【００３２】
図４及び図５に示すように、昇降補助具６は、養生マット１を碍子Ａの段部Ａ１（Ａ２，Ａ３）に巻回したときに、芯材６２の長手方向が径方向を向くように配置されている。特にこの実施の形態では、芯材６２の径方向の外側部分が内側部分より若干上方に位置するように、若干傾斜して配置されている。芯材６２は、水平に配置してもよい。
【００３３】
第１支持部６５は、芯材６２の内側の端部において折り曲げられ、マット本体２の主部２ａに沿って上方へ延びている。そして、主部２ａ及び補強ベルト５に縫製その他の手段によって固定されている。一方、第２支持部６６は、芯材６２の外側の端部において折り曲げられ、主部２ａに向かって斜め上方に延びている。そして、第２支持部６６の上端部は、主部２ａに沿って上方に延びるように折り曲げられ、その折り曲げ箇所より上側の部分が主部２ａ及び補強ベルト５に縫製その他の手段によって固定されている。この結果、芯材６２の長手方向の一端部（径方向の内側の端部）が主部２ａに補強ベルト５を介して接触した状態で、芯材６２の両端部が下側支持部６５と上側支持部６６とによって支持されている。つまり、芯材６２は、両持ち状態で支持されている。
【００３４】
図２、図４及び図５に示すように、下側支持部６５の主部２ａ（補強ベルト５）に対する固定部分の下端部は、押さえベルト７によって主部２ａの外周面に押さえ付けられている。押さえベルト７は、その長手方向を左右方向に向けて配置されており、下側支持部６５を左右方向に跨いでいる。下側支持部６５から左右方向の突出した押さえベルト７の両端部は、主部２ａに縫製その他の手段によって固定されている。これにより、下側支持部６５の主部２ａに対する固定強度の向上が図られている。同様に、上側支持部６６の主部２ａ（補強ベルト５）に対する固定部分の下端部も、押さえベルト７によって主部２ａに押し付けられ、それによって上側支持部６６の主部２ａに対する固定強度の向上が図られている。
【００３５】
上記構成の碍子養生マット１によって碍子Ａの段部Ａ１，Ａ２，Ａ３を養生する場合には、図１において想像線で示すように、まず段部Ａ１にマット本体２を巻回する。この場合、マット本体２の主部２ａ、台形部２ｂ及び長方形部２ｃの上下方向の各位置を、段部Ａ１の本体部ａ１、凹凸部ａ４の最上段の凸部の上面及び首部ａ２の上下方向の各位置にそれぞれ合わせる。その後、面ファスナーの雄部３Ａと雌部３Ｂとを係合させ、マット本体２を段部Ａ１に巻回状態で仮固定する。次に、固定ベルト４の雄係合部４ｂと雌係合部４ｃとを係合させ、固定ベルト４を環状にする。それによって、養生マット１を段部Ａ１に押圧固定する。この場合、三つの固定ベルト４は、上側の固定ベルト４から順に係合状態にすることが望ましい。段部Ａ１に対する養生マット１の固定が終了したら、段部Ａ２，Ａ３に他の養生マット１を順次固定する。その後、段部Ａ１，Ａ２，Ａ３にそれぞれ固定された養生マット１，１，１を介して段部Ａ１，Ａ２，Ａ３を順次よじ登る。この場合、昇降補助具６の芯材６２に足を載せるとともに、芯材６２を手で握ることにより、段部Ａ１，Ａ２，Ａ３を容易によじ登ることができる。そして、段部Ａ３までよじ登った後、断路器を保守点検する。
【００３６】
保守点検後には、碍子Ａから養生マット１を上側のものから順次取り外す。取り外すに際しては、まず固定ベルト４を下側のものから外す。その後、面ファスナーの雄部３Ａと雌部３Ｂとの係合状態を解除する。そして、養生マット１を碍子Ａから取り外す。取り外した養生マット１は、適宜に折り畳んで収容される。このとき、上側支持部６６の中間部を折り曲げることにより芯材６２を主部２ａに沿わせることができる。したがって、養生マット１は、小さく折り畳むことができる。よって、養生マット１の収容空間を小さくすることができる。
【００３７】
なお、この発明は、上記の実施の形態に限定されるものでなく、その要旨を逸脱しない範囲において各種の変形例を採用することができる。
例えば、上記の実施の形態においては、碍子Ａの各段部Ａ１，Ａ２，Ａ３を養生マット１，１，１によってそれぞれ養生しているが、段部Ａ１，Ａ２，Ａ３を１つの養生マットによって養生してもよい。
また、上記の実施の形態においては、昇降補助具６をマット本体２に補強ベルト５を介して固定しているが、マット本体２の強度が高い場合には、補強ベルト５を省略し、昇降補助具６をマット本体２に直接固定してもよい。
さらに、上記の実施の形態においては、マット本体２を碍子Ａに巻回状態で位置固定するための固定手段として、面ファスナー（雄部３Ａ及び雌部３Ｂ）と固定ベルト４とを用いているが、いずれか一方だけを用いてもよい。ただし、上記の実施の形態のように、面ファスナーでマット本体２を碍子Ａに仮固定し、固定ベルト４によってマット本体２を碍子Ａに固定することが、作業の能率及び固定強度の観点からして望ましい。
【符号の説明】
【００３８】
Ａ    碍子
１    碍子養生マット
２    マット本体
３Ａ    雄部（固定手段）
３Ｂ    雌部（固定手段）
４    固定ベルト（固定手段）
６    昇降補助具
６２    芯材
６５    下側支持部
６６    上側支持部
【図１】
0005798462.tif 000002
【図２】
0005798462.tif 000003
【図３】
0005798462.tif 000004
【図４】
0005798462.tif 000005
【図５】
0005798462.tif 000006
【図６】
0005798462.tif 000007